【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
記録媒体の記録情報により特定される遊技者所有の残額の使用に応じて、遊技機での遊技に用いられる遊技媒体を貸与する遊技用システムであって、
前記記録媒体を受付ける受付手段と、
該受付手段により受付けられた前記記録媒体の記録情報により特定される残額に基づいて、前記遊技機に遊技媒体の貸与を指示する貸与指示信号を送信することにより前記遊技機から前記遊技媒体を貸与させるとともに、遊技媒体の貸与のために消費される貸与消費額と該貸与消費額に対応する消費税額とを前記残額から減算する貸与処理を行なう貸与処理手段と、
該貸与処理手段が予め定められた複数個単位での前記遊技媒体の貸与を行なわせるときの前記貸与消費額である貸与消費単位額と該貸与消費単位額に対応する消費税額とを合算した第１の合算値を特定可能な第１のデータを設定する第１の設定手段と、
前記遊技媒体１個あたりの前記貸与消費額である遊技媒体単価と該遊技媒体単価に対応する消費税額とを合算した第２の合算値を特定可能な第２のデータを設定する第２の設定手段と、
前記貸与処理による減算後の前記残額が、前記第１の合算値以上と、前記第１の合算値未満かつ前記第２の合算値以上と、前記第２の合算値未満とのいずれであるかを判定する残額判定手段と、
該残額判定手段により減算後の残額が前記第１の合算値未満かつ前記第２の合算値以上であると判定されたときに、前記第２のデータに基づいて、当該残額で貸与可能な遊技媒体の個数を特定する個数特定手段と、
前記残額判定手段により減算後の残額が前記第２の合算値未満であると判定されたときに、前記記録媒体を返却する返却手段とを含み、
前記貸与処理手段は、前記残額判定手段により第１の合算値以上であると判定されたときに、前記貸与消費単位額に対応する遊技媒体の個数を示す第１の信号を前記貸与指示信号として１回もしくは複数回送信することにより予め定められた個数の遊技媒体を前記遊技機から貸与させ、前記第１のデータに基づいた前記減算をする第１の貸与処理を行ない、一方、前記残額判定手段により第１の合算値未満かつ前記第２の合算値以上であると判定されたときに、第１の合算値未満の残額分について、前記個数特定手段により特定された遊技媒体の個数を示す第２の信号を前記貸与指示信号として送信することにより当該特定された個数の遊技媒体を前記遊技機から貸与させ、前記第２のデータに基づいた前記減算をする第２の貸与処理を行なうことを特徴とする、遊技用システム。
【手続補正２】
【補正対象書類名】明細書
【補正対象項目名】０００７
【補正方法】変更
【補正の内容】
【０００７】
（１）  記録媒体の記録情報（遊技カード２１）により特定される遊技者所有の残額の使用に応じて、遊技機（パチンコ遊技機２）での遊技に用いられる遊技媒体（遊技球）を貸与（貸出し）する遊技用システムであって、
前記記録媒体を受付ける受付手段（カードリーダライタ装置３３）と、
該受付手段により受付けられた前記記録媒体の記録情報により特定される残額に基づいて、前記遊技機に遊技媒体の貸与を指示する貸与指示信号（貸出指令信号信号等）を送信することにより前記遊技機から前記遊技媒体を貸与させる（図１２のＳ５６ａ，Ｓ５６ｂ，Ｓ５７，図１３のＳ６２）とともに、遊技媒体の貸与のために消費される貸与消費額と該貸与消費額に対応する消費税額とを前記残額から減算する（図１３のＳ６４，Ｓ６７）貸与処理を行なう貸与処理手段（カードユニット制御部３４０）と、
該貸与処理手段が予め定められた複数個単位（たとえば、２５個）での前記遊技媒体の貸与を行なわせるときの前記貸与消費額である貸与消費単位額と該貸与消費単位額に対応する消費税額とを合算した第１の合算値（税込単位額）を特定可能な第１のデータを設定する第１の設定手段（カード管理装置４００、図１１のＳ１４、カードユニット制御部３４０、図１１のＳ２２）と、
前記遊技媒体１個あたりの前記貸与消費額である遊技媒体単価（端数球単価）と該遊技媒体単価に対応する消費税額とを合算した第２の合算値（税込端数球単価）を特定可能な第２のデータを設定する第２の設定手段（カード管理装置４００、図１１のＳ１８、カードユニット制御部３４０、図１１のＳ２４）と、
前記貸与処理による減算後の前記残額が、前記第１の合算値以上と、前記第１の合算値未満かつ前記第２の合算値以上と、前記第２の合算値未満とのいずれであるかを判定する残額判定手段（カードユニット制御部３４０、図１２のＳ４０，Ｓ４３，Ｓ５０）と、
該残額判定手段により減算後の残額が前記第１の合算値未満かつ前記第２の合算値以上であると判定されたときに、前記第２のデータに基づいて、当該残額で貸与可能な遊技媒体の個数を特定する個数特定手段（カードユニット制御部３４０、図１２のＳ４５，Ｓ５２）と、
前記残額判定手段により減算後の残額が前記第２の合算値未満であると判定されたときに、前記記録媒体を返却する返却手段（図１４のＳ８２、カードリーダライタ装置３３）とを含み、
前記貸与処理手段は、前記残額判定手段により第１の合算値以上であると判定されたときに、前記貸与消費単位額に対応する遊技媒体の個数を示す第１の信号（貸与消費単位額に対応する個数を指定する払出個数指定信号および貸出指令信号）を前記貸与指示信号として１回もしくは複数回送信する（貸与消費単位額に対応する個数を指定する払出個数指定信号をＳ５６ａにおいて出力し、Ｓ６２において貸与指令信号を出力する）ことにより予め定められた個数の遊技媒体を前記遊技機から貸与させ、前記第１のデータに基づいた前記減算（図１３のＳ６４）をする第１の貸与処理を行ない、一方、前記残額判定手段により第１の合算値未満かつ前記第２の合算値以上であると判定されたときに、第１の合算値未満の残額分について、前記個数特定手段により特定された遊技媒体の個数を示す第２の信号（端数球の個数を指定する払出個数指定信号および貸出指令信号）を前記貸与指示信号として送信する（端数球の個数を指定する払出個数指定信号をＳ５６ｂにおいて出力し、Ｓ６２において貸与指令信号を出力する）ことにより当該特定された個数の遊技媒体を前記遊技機から貸与させ、前記第２のデータに基づいた前記減算（図１３のＳ６７）をする第２の貸与処理を行なう。
【手続補正３】
【補正対象書類名】明細書
【補正対象項目名】０００８
【補正方法】変更
【補正の内容】
【０００８】
このような構成によれば、貸与処理による減算後の残額が貸与消費単位額と該貸与消費単位額に対応する消費税額とを合算した第１の合算値以上であると判定されたときに、貸与消費単位額に対応する個数の遊技媒体を貸与する処理を１回もしくは複数回することにより予め定められた個数の遊技媒体を貸与し、第１のデータに基づいた前記減算をする第１の貸与処理が行なわれる。一方、貸与処理による減算後の残額が貸与消費単位額と該貸与消費単位額に対応する消費税額とを合算した第１の合算値未満かつ前記第２の合算値以上であると判定されたときに、遊技媒体単価と該遊技媒体単価に対応する消費税額とを合算した第２の合算値を特定可能な第２のデータに基づいて、当該残額で貸与可能な遊技媒体の個数が特定され、特定された個数の遊技媒体の貸与と、第２のデータに基づいた減算とをする第２の貸与処理が行なわれる。また、貸与処理による減算後の残額が第２の合算値未満であると判定されたときには、記録媒体が返却される。残額が第１の合算値未満であっても、当該残額で貸与可能な個数の遊技媒体の貸与が行なわれるので、残額のうち貸与に使用できない額が遊技媒体単価未満となるため、記録媒体の記録情報により特定される残額を使用して遊技媒体を貸与し、該残額から消費税を徴収するときに、遊技者に生じる不利益を低減できる。さらに、第１の貸与処理を行なうときに、貸与消費単位額に対応して予め定められた貸与する遊技媒体の個数を示す第１の信号が貸与指示信号として１回もしくは複数回送信されることにより予め定められた個数の遊技媒体が貸与され、一方、第２の貸与処理を行なうときに、減算後の残額が第１の合算値未満かつ第２の合算値以上であると判定されたときに当該残額で貸与可能な遊技媒体の個数として特定された遊技媒体の個数を示す第２の信号が貸与指示信号として送信されることにより当該特定された個数の遊技媒体が貸与される。このため、貸与消費単位額に対応する個数の遊技媒体の貸与と、第１の合算値未満かつ前記第２の合算値以上の残額に基づく個数の遊技媒体の貸与とのそれぞれについて貸与する個数をより明確に示すことができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】